(57)【特許請求の範囲】
【請求項１】
無線通信システムにおいてＰＤＣＣＨ（Ｐｈｙｓｉｃａｌ  Ｄｏｗｎｌｉｎｋ  Ｃｏｎｔｒｏｌ  Ｃｈａｎｎｅｌ）をモニターリングする方法であって、前記方法は、ＵＥ（Ｕｓｅｒ  Ｅｑｕｉｐｍｅｎｔ）によって実行され、
前記方法は、
ｋ番目サブフレームの制御領域内で検索空間の開始点を求めることであって、前記制御領域は、０からＮＣＣＥ，ｋ−１までインデックス番号が付けられる、隣接するＣＣＥ（Ｃｏｎｔｒｏｌ  Ｃｈａｎｎｅｌ  Ｅｌｅｍｅｎｔ）の集合を含み、ＮＣＣＥ，ｋは、前記ｋ番目サブフレームの前記制御領域内のＣＣＥの総数であり、前記検索空間は、各集団レベル毎にＰＤＣＣＨの集合によって定義され、各集団レベルは、一つの連続するＣＣＥの集団を指示するものであり、ＣＣＥインデックスに対応する前記開始点は、前記ｋ番目サブフレームの前記制御領域内で前記集団レベルの倍数によって定義される、ことと、
前記ｋ番目サブフレームの前記制御領域内で各集団レベル毎に前記検索空間内で前記ＰＤＣＣＨの集合をモニターリングすることと
を含み、
前記検索空間は、ＵＥ固有検索空間および共用検索空間を含み、前記ＵＥ固有検索空間は、セル内の少なくとも一つのＵＥによってモニターリングされ、前記共用検索空間は、前記セル内の全てのＵＥによってモニターリングされ、
前記共用検索空間は、各集団レベルに固定され、
前記ＵＥ固有検索空間は、前記ｋ番目サブフレームにおいて、
Ｙｋ＝（Ａ・Ｙｋ−１）  ｍｏｄ  Ｄ
によって定義されるパラメータＹｋに基づいて決定され、
Ｙ−１は、ＵＥの識別子から求められ、Ａ＝３９８２７、Ｄ＝６５５３７である、方法。
【請求項２】
前記ＰＤＣＣＨの集合は、前記検索空間内で前記集団レベルの単位でモニターリングされる、請求項１に記載の方法。
【請求項３】
ＵＥ（Ｕｓｅｒ  Ｅｑｕｉｐｍｅｎｔ）であって、
無線信号を伝送または受信するＲＦ（Ｒａｄｉｏ  Ｆｒｅｑｕｅｎｃｙ）部と、
前記ＲＦ部と連結されるプロセッサと
を含み、
前記プロセッサは、
ｋ番目サブフレームの制御領域内で検索空間の開始点を求めることであって、前記制御領域は、０からＮＣＣＥ，ｋ−１までインデックス番号が付けられる、隣接するＣＣＥ（Ｃｏｎｔｒｏｌ  Ｃｈａｎｎｅｌ  Ｅｌｅｍｅｎｔ）の集合を含み、ＮＣＣＥ，ｋは、前記ｋ番目サブフレームの前記制御領域内のＣＣＥの総数であり、前記検索空間は、各集団レベル毎にＰＤＣＣＨの集合によって定義され、各集団レベルは、一つの連続するＣＣＥの集団を指示するものであり、ＣＣＥインデックスに対応する前記開始点は、前記ｋ番目サブフレームの前記制御領域内で前記集団レベルの倍数によって定義される、ことと、
前記ｋ番目サブフレームの前記制御領域内で各集団レベル毎に前記検索空間内で前記開始点から前記ＰＤＣＣＨの集合をモニターリングすることと
を行うように構成されており、
前記検索空間は、ＵＥ固有検索空間および共用検索空間を含み、前記ＵＥ固有検索空間は、セル内の少なくとも一つのＵＥによってモニターリングされ、前記共用検索空間は、前記セル内の全てのＵＥによってモニターリングされ、
前記共用検索空間は、各集団レベルに固定され、
前記ＵＥ固有検索空間は、前記ｋ番目サブフレームにおいて、
Ｙｋ＝（Ａ・Ｙｋ−１）  ｍｏｄ  Ｄ
によって定義されるパラメータＹｋに基づいて決定され、
Ｙ−１は、ＵＥの識別子から求められ、Ａ＝３９８２７、Ｄ＝６５５３７である、ＵＥ（Ｕｓｅｒ  Ｅｑｕｉｐｍｅｎｔ）。
【請求項４】
前記ＰＤＣＣＨの集合は、前記検索空間内で前記集団レベルの単位でモニターリングされる、請求項３に記載のＵＥ（Ｕｓｅｒ  Ｅｑｕｉｐｍｅｎｔ）。
【発明の詳細な説明】
【技術分野】
【０００１】
本発明は、無線通信に関し、より詳しくは、制御情報の効率的検出のための制御チャネルモニターリング方法に関する。
【背景技術】
【０００２】
無線通信システムにおいて、一般的に一つの基地局は多数の端末にサービスを提供する。基地局は、多数の端末に対する使用者データをスケジューリングし、上記使用者データに対するスケジューリング情報を含めた制御情報（Ｃｏｎｔｒｏｌ  Ｉｎｆｏｒｍａｔｉｏｎ）を使用者データと共に伝送する。一般的に上記制御情報を運ぶチャネルを制御チャネルといい、使用者データを運ぶチャネルをデータチャネルという。端末は、制御チャネルをモニターリングして自分の制御情報を探して、上記制御情報を用いて自分のデータを処理する。モニターリングとは、端末が制御チャネル候補のデコーディングを試みることをいう。
【０００３】
端末が自分に割り当てられた使用者データを受信するためには、制御チャネル上の使用者データに対する制御情報を必ず受信しなければならない。然しながら、与えられた帯域幅で複数の端末の制御情報は、一つの伝送間隔（ｔｒａｎｓｍｉｓｓｉｏｎ  ｉｎｔｅｒｖａｌ）内で多重化（ｍｕｌｔｉｐｌｅｘｉｎｇ）されることが一般的である。即ち、基地局は、多数の端末にサービスを提供するために、多数の端末に対する制御情報を多重化して多数の制御チャネルを介して伝送する。端末は、多数の制御チャネルのうち自分の制御チャネルを探す。
【０００４】
多重化された制御情報のうちで特定制御情報を検出する技法のうち一つがブラインドデコーディング（ｂｌｉｎｄ  ｄｅｃｏｄｉｎｇ）である。ブラインドデコーディングは、端末が制御チャネルの復旧に必要な情報のない状態で多数の組合せの情報を用いて制御チャネルを復旧するための試みをすることである。即ち、端末は、基地局から伝送された制御情報が自分の制御情報であるかどうか知らず、自分の制御情報がどの部分に位置するか知らない状態で、自分の制御情報をさがす時まで、端末が与えられた全ての制御情報をデコーディングする。端末が自分の制御情報であるか否かを判別するためには端末の固有情報を用いることができる。例えば、基地局が各端末の制御情報を多重化させる時、各端末の固有識別子をＣＲＣ（Ｃｙｃｌｉｃ  Ｒｅｄｕｎｄａｎｃｙ  Ｃｈｅｃｋ）にマスキングさせて伝送することができる。ＣＲＣは、エラー検出に使われる符号（ｃｏｄｅ）である。端末は、受信した制御情報のＣＲＣに自分の固有識別子をデマスキングした後、ＣＲＣチェックをして自分の制御情報であるか否かを判断することができる。
【０００５】
もし、端末が多重化された制御情報から自分の制御情報を正しく検出できなければ、データチャネル上の使用者データをデコーディングすることができない。従って、制御情報の速くて正確な検出は、全体システムの性能に重要な影響を及ぼすといえる。然しながら、単純なブラインドデコーディングだけでは制御情報の検出に困難がある。
【０００６】
各端末毎に相違する制御情報を必要とすることができ、他のコード率（ｃｏｄｅ  ｒａｔｅ）を使用するチャネルインコーディング方法を使用することができるため、制御情報の大きさは各端末毎に相違することがある。従って、制御情報が伝送される制御領域（ｃｏｎｔｒｏｌ  ｒｅｇｉｏｎ）内でブラインドデコーディングを試みるための回数が予期しなく多くなるおそれがある。検出試み回数が多くなるほど端末のバッテリ消耗は増加する。
【０００７】
従って、検出試み回数を減少させて制御情報を速く検出することによって端末のバッテリ消耗を減少させることができる効率的な制御チャネルモニターリング方法が必要である。
【発明の概要】
【発明が解決しようとする課題】
【０００８】
本発明が解決しようとする技術的課題は、効率的な制御チャネルモニターリング方法を提供することである。
【課題を解決するための手段】
【０００９】
一態様において、無線通信システムにおいてＰＤＣＣＨ（Ｐｈｙｓｉｃａｌ  Ｄｏｗｎｌｉｎｋ  Ｃｏｎｔｒｏｌ  Ｃｈａｎｎｅｌ）をモニターリングする方法が提供される。上記方法は、ｋ番目サブフレームの制御領域内で検索空間の開始点を求め、上記制御領域は、０からＮＣＣＥ，ｋ−１までインデックス番号が付けられる、隣接するＣＣＥ（Ｃｏｎｔｒｏｌ  Ｃｈａｎｎｅｌ  Ｅｌｅｍｅｎｔ）の集合で構成され、ＮＣＣＥ，ｋは、上記ｋ番目サブフレームの上記制御領域内のＣＣＥの総数であり、上記検索空間は、各集団レベル毎にＰＤＣＣＨの集合で定義され、上記各集団レベルは、一つの連続するＣＣＥの集団を指示して、ＣＣＥインデックスに対応する上記開始点は、上記制御領域内で上記集団レベルの倍数で定義される段階；及び、上記各集団レベル毎に上記検索空間内で上記開始点から上記ＰＤＣＣＨの集合をモニターリングする段階を含む。
【００１０】
上記検索空間は、セル内の少なくとも一つの端末によりモニターリングされる端末特定検索空間であってもよい。上記ＰＤＣＣＨの集合は、上記検索空間内で上記集団レベルの単位でモニターリングされることができる。
【００１１】
他の態様において、無線通信のための装置が提供される。上記装置は、無線信号を伝送または受信するＲＦ（Ｒａｄｉｏ  Ｆｒｅｑｕｅｎｃｙ）部；及び、上記ＲＦ部と連結されるプロセッサを含み、上記プロセッサは、ｋ番目サブフレームの制御領域内で検索空間の開始点を求め、上記制御領域は、０からＮＣＣＥ，ｋ−１までインデックス番号が付けられる、隣接するＣＣＥ（Ｃｏｎｔｒｏｌ  Ｃｈａｎｎｅｌ  Ｅｌｅｍｅｎｔ）の集合で構成され、ＮＣＣＥ，ｋは、上記ｋ番目サブフレームの上記制御領域内のＣＣＥの総数であり、上記検索空間は、各集団レベル毎にＰＤＣＣＨの集合で定義され、上記各集団レベルは、一つの連続するＣＣＥの集団を指示して、ＣＣＥインデックスに対応する上記開始点は、上記制御領域内で上記集団レベルの倍数で定義され、及び上記各集団レベル毎に上記検索空間内で上記開始点から上記ＰＤＣＣＨの集合をモニターリングする。
【００１２】
もう一つの態様において、無線通信システムにおいてＰＤＣＣＨをモニターリングする方法が提供される。上記方法は、サブフレームの制御領域内で検索空間の開始点を求め、上記制御領域は、隣接するＣＣＥの集合で構成され、上記検索空間は、各集団レベル毎にＰＤＣＣＨの集合で定義され、上記各集団レベルは、一つの連続するＣＣＥの集団を指示して、上記開始点は、上記制御領域内で上記集団レベルに応じて定義される段階；及び、上記各集団レベル毎に上記検索空間内で上記開始点から上記ＰＤＣＣＨの集合をモニターリングする段階を含む。
【００１３】
上記制御領域内で上記隣接するＣＣＥの集合は、０からＮＣＣＥ−１までインデックス番号が付けられ、ＮＣＣＥは、上記制御領域内のＣＣＥの総数であり、ＣＣＥインデックスに対応する上記開始点は、上記制御領域内で上記集団レベルの倍数で定義されることができる。
【００１４】
上記制御領域内で上記隣接するＣＣＥの集合は
【００１５】
【化１】
0004995857.tif 000002
個のＣＣＥ集団ユニットに分かれ、ＮＣＣＥは上記制御領域内のＣＣＥの総数であり、Ｌは上記集団レベルであり、上記開始点は、上記ＣＣＥ集団ユニットから選択された一つのＣＣＥ集団ユニット内の一つのＣＣＥであってもよい。
【００１６】
上記開始点は、上記ＣＣＥ集団ユニットから選択された上記一つのＣＣＥ集団ユニット内の一番目のＣＣＥであってもよい。
【００１７】
上記ＣＣＥ集団ユニットは、０から
【００１８】
【化２】
0004995857.tif 000003
までインデックス番号が付けられることができる。
【００１９】
上記ＣＣＥ集団ユニット内で一番目のＣＣＥは、０から
【００２０】
【化３】
0004995857.tif 000004
までインデックス番号が付けられることができる。
【００２１】
本発明は、さらに以下の手段を提供する。
（項目１）
無線通信システムにおいてＰＤＣＣＨ（Ｐｈｙｓｉｃａｌ  Ｄｏｗｎｌｉｎｋ  Ｃｏｎｔｒｏｌ  Ｃｈａｎｎｅｌ）をモニターリングする方法において、
ｋ番目サブフレームの制御領域内で検索空間の開始点を求め、
上記制御領域は、０からＮＣＣＥ，ｋ−１までインデックス番号が付けられる、隣接するＣＣＥ（Ｃｏｎｔｒｏｌ  Ｃｈａｎｎｅｌ  Ｅｌｅｍｅｎｔ）の集合で構成され、ＮＣＣＥ，ｋは、上記ｋ番目サブフレームの上記制御領域内のＣＣＥの総数であり、
上記検索空間は、各集団レベル毎にＰＤＣＣＨの集合で定義され、上記各集団レベルは、一つの連続するＣＣＥの集団を指示して、
ＣＣＥインデックスに対応する上記開始点は、上記制御領域内で上記集団レベルの倍数で定義される段階；及び、
上記各集団レベル毎に上記検索空間内で上記開始点から上記ＰＤＣＣＨの集合をモニターリングする段階を含むことを特徴とする方法。
（項目２）
項目１において、
上記検索空間は、セル内の少なくとも一つの端末によりモニターリングされる端末特定検索空間であることを特徴とする方法。
（項目３）
項目１において、
上記ＰＤＣＣＨの集合は、上記検索空間内で上記集団レベルの単位でモニターリングされることを特徴とする方法。
（項目４）
無線信号を伝送または受信するＲＦ（Ｒａｄｉｏ  Ｆｒｅｑｕｅｎｃｙ）部；及び、
上記ＲＦ部と連結されるプロセッサを含み、上記プロセッサは、
ｋ番目サブフレームの制御領域内で検索空間の開始点を求め、
上記制御領域は、０からＮＣＣＥ，ｋ−１までインデックス番号が付けられる、隣接するＣＣＥ（Ｃｏｎｔｒｏｌ  Ｃｈａｎｎｅｌ  Ｅｌｅｍｅｎｔ）の集合で構成され、ＮＣＣＥ，ｋは、上記ｋ番目サブフレームの上記制御領域内のＣＣＥの総数であり、
上記検索空間は、各集団レベル毎にＰＤＣＣＨの集合で定義され、上記各集団レベルは、一つの連続するＣＣＥの集団を指示して、
ＣＣＥインデックスに対応する上記開始点は、上記制御領域内で上記集団レベルの倍数で定義され、及び
上記各集団レベル毎に上記検索空間内で上記開始点から上記ＰＤＣＣＨの集合をモニターリングすることを特徴とする無線通信のための装置。
（項目５）
項目４において、
上記検索空間は、セル内の少なくとも一つの端末によりモニターリングされる端末特定検索空間であることを特徴とする無線通信のための装置。
（項目６）
項目４において、
上記ＰＤＣＣＨの集合は、上記検索空間内で上記集団レベルの単位でモニターリングされることを特徴とする無線通信のための装置。
（項目７）
無線通信システムにおいてＰＤＣＣＨをモニターリングする方法において、
サブフレームの制御領域内で検索空間の開始点を求め、
上記制御領域は、隣接するＣＣＥの集合で構成され、
上記検索空間は、各集団レベル毎にＰＤＣＣＨの集合で定義され、上記各集団レベルは、一つの連続するＣＣＥの集団を指示して、
上記開始点は、上記制御領域内で上記集団レベルに応じて定義される段階；及び、
上記各集団レベル毎に上記検索空間内で上記開始点から上記ＰＤＣＣＨの集合をモニターリングする段階を含むことを特徴とする方法。
（項目８）
項目７において、
上記制御領域内で上記隣接するＣＣＥの集合は、０からＮＣＣＥ−１までインデックス番号が付けられ、ＮＣＣＥは上記制御領域内のＣＣＥの総数であり、
ＣＣＥインデックスに対応する上記開始点は、上記制御領域内で上記集団レベルの倍数で定義されることを特徴とする方法。
（項目９）
項目７において、
上記制御領域内で上記隣接するＣＣＥの集合は
【００２２】
【化３−１】
0004995857.tif 000005
個のＣＣＥ集団ユニットに分かれ、ＮＣＣＥは上記制御領域内のＣＣＥの総数であり、Ｌは上記集団レベルであり、
上記開始点は、上記ＣＣＥ集団ユニットから選択された一つのＣＣＥ集団ユニット内の一つのＣＣＥであることを特徴とする方法。
（項目１０）
項目９において、
上記開始点は、上記ＣＣＥ集団ユニットから選択された上記一つのＣＣＥ集団ユニット内の一番目のＣＣＥであることを特徴とする方法。
（項目１１）
項目９において、
上記ＣＣＥ集団ユニットは、０から
【００２３】
【化３−２】
0004995857.tif 000006
までインデックス番号が付けられることを特徴とする方法。
（項目１２）
項目９において、
上記ＣＣＥ集団ユニット内で一番目のＣＣＥは、０から
【００２４】
【化３−３】
0004995857.tif 000007
までインデックス番号が付けられることを特徴とする方法。
（摘要）
ＰＤＣＣＨ（Ｐｈｙｓｉｃａｌ  Ｄｏｗｎｌｉｎｋ  Ｃｏｎｔｒｏｌ  Ｃｈａｎｎｅｌ）をモニターリングする方法を提供する。
【００２５】
ｋ番目サブフレームの制御領域内で検索空間の開始点が得られる。上記検索空間は、各集団レベル毎にＰＤＣＣＨの集合で定義される。上記各集団レベル毎に上記検索空間内で上記開始点から上記ＰＤＣＣＨの集合がモニターリングされる。上記開始点は、上記制御領域内で上記集団レベルの倍数で定義される。
【発明の効果】
【００２６】
端末は、ダウンリンク制御チャネルを效率的にモニターリングすることができる。また、基地局は、多数の端末に対する制御情報を運ぶ多数の制御チャネルを效率的に多重化して伝送することができる。これによって、ダウンリンク制御チャネルをモニターリングするためのブラインドデコーディングにともなう検出試み回数を減らすことができる。ブラインドデコーディングにともなうオーバーヘッドを減らし、端末が自分の必要とするダウンリンク制御チャネルを探すのにかかる時間を減少させる。端末のバッテリ消耗を減らし、全体システムの性能向上を期待することができる。
【図面の簡単な説明】
【００２７】
【図１】無線通信システムを示したブロック図である。
【図２】Ｅ−ＵＴＲＡＮとＥＰＣ間の機能分割を示したブロック図である。
【図３】端末の要素を示したブロック図である。
【図４】使用者平面に対する無線プロトコル構造を示したブロック図である。
【図５】制御平面に対する無線プロトコル構造を示したブロック図である。
【図６】ダウンリンク論理チャネルとダウンリンク伝送チャネル間のマッピングを示す。
【図７】ダウンリンク伝送チャネルとダウンリンク物理チャネル間のマッピングを示す。
【図８】無線フレームの構造を示す。
【図９】一つのダウンリンクスロットに対する資源グリッドを示した例示図である。
【図１０】サブフレームの構造を示す。
【図１１】ＰＤＣＣＨの構成を示したフローチャートである。
【図１２】制御チャネルモニターリングを示した例示図である。
【図１３】端末特定検索空間の開始点となることができるＣＣＥを示す。
【図１４】ＣＣＥ列上でＣＣＥにインデックスを付ける方法の例を示す。
【図１５】ＣＣＥ集団レベルが２の場合、ＣＣＥにインデックスを付ける方法の例を示す。
【図１６】ＣＣＥ集団レベルがＫの場合、ＣＣＥにインデックスを付ける方法の例を示す。
【発明を実施するための形態】
【００２８】
図１は、無線通信システムを示したブロック図である。これはＥ−ＵＭＴＳ（Ｅｖｏｌｖｅｄ−  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構造であってもよい。Ｅ−ＵＭＴＳシステムは、ＬＴＥ（Ｌｏｎｇ  Ｔｅｒｍ  Ｅｖｏｌｕｔｉｏｎ）システムということもできる。無線通信システムは、音声、パケットデータなどのような多様な通信サービスを提供するために広く配置される。
【００２９】
図１を参照すると、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）は、制御平面（ｃｏｎｔｒｏｌ  ｐｌａｎｅ）と使用者平面（ｕｓｅｒ  ｐｌａｎｅ）を提供する基地局（２０；Ｂａｓｅ  Ｓｔａｔｉｏｎ、ＢＳ）を含む。
【００３０】
端末（１０；Ｕｓｅｒ  Ｅｑｕｉｐｍｅｎｔ、ＵＥ）は、固定されたり移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ＷｉｒｅｌｅｓｓＤｅｖｉｃｅ）等、他の用語で呼ばれることができる。基地局（２０）は、一般的に端末（１０）と通信する固定された地点（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。一つの基地局（２０）は少なくとも一つのセルに対してサービスを提供することができる。セルは、基地局（２０）が通信サービスを提供する領域である。基地局（２０）間には使用者トラフィックあるいは制御トラフィック伝送のためのインターフェースが使われることもできる。以下、ダウンリンク（ｄｏｗｎｌｉｎｋ）は基地局（２０）から端末（１０）への通信を意味して、アップリンク（ｕｐｌｉｎｋ）は端末（１０）から基地局（２０）への通信を意味する。
【００３１】
基地局（２０）は、Ｘ２インターフェースを介してお互いに連結されることができる。基地局（２０）は、Ｓ１インターフェースを介してＥＰＣ（Ｅｖｏｌｖｅｄ  Ｐａｃｋｅｔ  Ｃｏｒｅ）、より詳しくは、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ  Ｇａｔｅｗａｙ、３０）と連結される。Ｓ１インターフェースは、基地局（２０）とＭＭＥ／Ｓ−ＧＷ（３０）間に多数−対−多数関係（ｍａｎｙ−ｔｏ−ｍａｎｙ−ｒｅｌａｔｉｏｎ）を支援する。
【００３２】
図２は、Ｅ−ＵＴＲＡＮとＥＰＣ間の機能分割（ｆｕｎｃｔｉｏｎａｌ  ｓｐｌｉｔ）を示したブロック図である。斜線をひいたボックスは、無線プロトコル階層（ｒａｄｉｏ  ｐｒｏｔｏｃｏｌ  ｌａｙｅｒ）を示して、白いボックスは制御平面の機能的個体（ｆｕｎｃｔｉｏｎａｌ  ｅｎｔｉｔｙ）を示す。
【００３３】
図２を参照すると、基地局は次のような機能を遂行する。（１）無線ベアラ制御（Ｒａｄｉｏ  Ｂｅａｒｅｒ  Ｃｏｎｔｒｏｌ）、無線許可制御（Ｒａｄｉｏ  Ａｄｍｉｓｓｉｏｎ  Ｃｏｎｔｒｏｌ）、連結移動性制御（Ｃｏｎｎｅｃｔｉｏｎ  Ｍｏｂｉｌｉｔｙ  Ｃｏｎｔｒｏｌ）、端末への動的資源割当（Ｄｙｎａｍｉｃ  Ｒｅｓｏｕｒｃｅ  Ａｌｌｏｃａｔｉｏｎ）のような無線資源管理（Ｒａｄｉｏ  Ｒｅｓｏｕｒｃｅ  Ｍａｎａｇｅｍｅｎｔ；ＲＲＭ）機能、（２）ＩＰ（Ｉｎｔｅｒｎｅｔ  Ｐｒｏｔｏｃｏｌ）ヘッダ圧縮及び使用者データストリームの解読（ｅｎｃｒｙｐｔｉｏｎ）、（３）Ｓ−ＧＷへの使用者平面データのルーティング（ｒｏｕｔｉｎｇ）、（４）  ペイジング（ｐａｇｉｎｇ）メッセージのスケジューリング及び伝送、（５）ブロードキャスト（ｂｒｏａｄｃａｓｔ）情報のスケジューリング及び伝送、（６）移動性とスケジューリングのための測定と測定報告設定。
【００３４】
ＭＭＥは、次のような機能を遂行する。（１）ＮＡＳ（Ｎｏｎ−Ａｃｃｅｓｓ  Ｓｔｒａｔｕｍ）シグナリング、（２）ＮＡＳシグナリング保安（ｓｅｃｕｒｉｔｙ）、（３）アイドルモードＵＥ到達性（Ｉｄｌｅ  ｍｏｄｅ  ＵＥ  Ｒｅａｃｈａｂｉｌｉｔｙ）、（４）トラッキング領域リスト管理（Ｔｒａｃｋｉｎｇ  Ａｒｅａｌｉｓｔ  ｍａｎａｇｅｍｅｎｔ）、（５）ローミング（Ｒｏａｍｉｎｇ）、（６）認証（Ａｕｔｈｅｎｔｉｃａｔｉｏｎ）。
【００３５】
Ｓ−ＧＷは、次のような機能を遂行する。（１）移動性アンカーリング（ｍｏｂｉｌｉｔｙ  ａｎｃｈｏｒｉｎｇ）、（２）合法的盗聴（ｌａｗｆｕｌ  ｉｎｔｅｒｃｅｐｔｉｏｎ）。Ｐ−ＧＷ（ＰＤＮ−Ｇａｔｅｗａｙ）は、次のような機能を遂行する。（１）端末ＩＰ（ｉｎｔｅｒｎｅｔ  ｐｒｏｔｏｃｏｌ）割当（ａｌｌｏｃａｔｉｏｎ）、（２）パケットフィルターリング。
【００３６】
図３は、端末の要素を示したブロック図である。端末（５０）は、プロセッサ（ｐｒｏｃｅｓｓｏｒ、５１）、メモリ（ｍｅｍｏｒｙ、５２）、ＲＦ部（ＲＦ  ｕｎｉｔ、５３）、ディスプレー部（ｄｉｓｐｌａｙ  ｕｎｉｔ、５４）、使用者インターフェース部（ｕｓｅｒ  ｉｎｔｅｒｆａｃｅ  ｕｎｉｔ、５５）を含む。プロセッサ（５１）は、無線インターフェースプロトコルの階層が具現されて制御平面と使用者平面を提供する。各階層の機能はプロセッサ（５１）を介して具現されることができる。メモリ（５２）は、プロセッサ（５１）と連結されて、端末駆動システム、アプリケーション及び一般的なファイルを格納する。ディスプレー部（５４）は、端末の多様な情報をディスプレーして、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）等、よく知られている要素を使用することができる。使用者インターフェース部（５５）は、キーパッドやタッチスクリーンなど、よく知られている使用者インターフェースの組合せからなることができる。ＲＦ部（５３）は、プロセッサと連結されて無線信号（ｒａｄｉｏ  ｓｉｇｎａｌ）を送信及び／または受信する。
【００３７】
端末とネットワーク間の無線インターフェースプロトコル（ｒａｄｉｏ  ｉｎｔｅｒｆａｃｅ  ｐｒｏｔｏｃｏｌ）の階層は、通信システムにおいて広く知られている開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個階層を基に、第１階層（Ｌ１）、第２階層（Ｌ２）、第３階層（Ｌ３）に区分されることができる。このうち、第１階層に属する物理階層は、物理チャネル（ｐｈｙｓｉｃａｌ  ｃｈａｎｎｅｌ）を用いた情報伝送サービス（ｉｎｆｏｒｍａｔｉｏｎ  ｔｒａｎｓｆｅｒ  ｓｅｒｖｉｃｅ）を提供して、第３階層に位置する無線資源制御（ｒａｄｉｏ  ｒｅｓｏｕｒｃｅ  ｃｏｎｔｒｏｌ；以下、ＲＲＣという）階層は、端末とネットワーク間に無線資源を制御する役割を遂行する。このために、ＲＲＣ階層は、端末とネットワーク間にＲＲＣメッセージをお互いに交換する。
【００３８】
図４は、使用者平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。図５は、制御平面（ｃｏｎｔｒｏｌ  ｐｌａｎｅ）に対する無線プロトコル構造を示したブロック図である。これは端末とＥ−ＵＴＲＡＮ間の無線インターフェースプロトコルの構造を示す。使用者平面は使用者データ伝送のためのプロトコルスタック（ｐｒｏｔｏｃｏｌ  ｓｔａｃｋ）であり、制御平面は制御信号伝送のためのプロトコルスタックである。
【００３９】
図４及び図５を参照すると、第１階層である物理階層（ＰＨＹ（ｐｈｙｓｉｃａｌ）  ｌａｙｅｒ）は、物理チャネル（ｐｈｙｓｉｃａｌ  ｃｈａｎｎｅｌ）を用いて上位階層に情報伝送サービス（ｉｎｆｏｒｍａｔｉｏｎ  ｔｒａｎｓｆｅｒ  ｓｅｒｖｉｃｅ）を提供する。物理階層は、上位にある媒体接続制御（Ｍｅｄｉｕｍ  Ａｃｃｅｓｓ  Ｃｏｎｔｒｏｌ；ＭＡＣ）階層と伝送チャネル（ｔｒａｎｓｐｏｒｔ  ｃｈａｎｎｅｌ）を介して連結されており、この伝送チャネルを介してＭＡＣ階層と物理階層間のデータが移動する。また、相違する物理階層間、即ち、送信側と受信側の物理階層間は物理チャネルを介してデータが移動する。
【００４０】
第２階層のＭＡＣ階層は、論理チャネル（ｌｏｇｉｃａｌ  ｃｈａｎｎｅｌ）を介して上位階層である無線リンク制御（Ｒａｄｉｏ  Ｌｉｎｋ  Ｃｏｎｔｒｏｌ；ＲＬＣ）階層にサービスを提供する。第２階層のＲＬＣ階層は信頼性のあるデータの伝送を支援する。ＲＬＣ階層にはデータの伝送方法に伴って、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の３種類の動作モードが存在する。ＡＭ  ＲＬＣは、両方向データ伝送サービスを提供して、ＲＬＣ  ＰＤＵ（Ｐｒｏｔｏｃｏｌ  Ｄａｔａ  Ｕｎｉｔ）の伝送失敗時、再伝送を支援する。
【００４１】
第２階層のＰＤＣＰ（Ｐａｃｋｅｔ  Ｄａｔａ  Ｃｏｎｖｅｒｇｅｎｃｅ  Ｐｒｏｔｏｃｏｌ）階層は、ＩＰパケットヘッダサイズを減らすヘッダ圧縮（ｈｅａｄｅｒ  ｃｏｍｐｒｅｓｓｉｏｎ）機能を遂行する。
【００４２】
第３階層の無線資源制御（Ｒａｄｉｏ  Ｒｅｓｏｕｒｃｅ  Ｃｏｎｔｒｏｌ；以下、ＲＲＣ）階層は制御平面でのみ定義される。ＲＲＣ階層は、無線ベアラ（Ｒａｄｉｏ  Ｂｅａｒｅｒ；以下、ＲＢ）の設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、伝送チャネル及び物理チャネルの制御を担当する。ＲＢは、端末とＥ−ＵＴＲＡＮ間のデータ伝達のために第２階層により提供されるサービスを意味する。端末のＲＲＣとネットワークのＲＲＣ間にＲＲＣ連結（ＲＲＣ  Ｃｏｎｎｅｃｔｉｏｎ）のある場合、端末は、ＲＲＣ連結モード（ＲＲＣ  Ｃｏｎｎｅｃｔｅｄ  Ｍｏｄｅ）にあるようになり、そうでない場合、ＲＲＣアイドルモード（ＲＲＣ  Ｉｄｌｅ  Ｍｏｄｅ）にあるようになる。
【００４３】
ＲＲＣ階層上位に位置するＮＡＳ（Ｎｏｎ−Ａｃｃｅｓｓ  Ｓｔｒａｔｕｍ）階層は、連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を遂行する。
【００４４】
図６は、ダウンリンク論理チャネルとダウンリンク伝送チャネル間のマッピング（ｍａｐｐｉｎｇ）を示す。これは３ＧＰＰ  ＴＳ  ３６．３００  Ｖ８．３．０（２００７−１２）  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ２（Ｒｅｌｅａｓｅ８）の６．１．３．２節を参照することができる。
【００４５】
図６を参照すると、ＰＣＣＨ（Ｐａｇｉｎｇ  Ｃｏｎｔｒｏｌ  Ｃｈａｎｎｅｌ）はＰＣＨ（Ｐａｇｉｎｇ  Ｃｈａｎｎｅｌ）にマッピングされ、ＢＣＣＨ（Ｂｒｏａｄｃａｓｔ  Ｃｏｎｔｒｏｌ  Ｃｈａｎｎｅｌ）はＢＣＨ（Ｂｒｏａｄｃａｓｔ  Ｃｈａｎｎｅｌ）またはＤＬ−ＳＣＨ（Ｄｏｗｎｌｉｎｋ  Ｓｈａｒｅｄ  Ｃｈａｎｎｅｌ）にマッピングされる。ＣＣＣＨ（Ｃｏｍｍｏｎ  Ｃｏｎｔｒｏｌ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＤＴＣＨ（Ｄｅｄｉｃａｔｅｄ  Ｔｒａｆｆｉｃｃ  Ｈａｎｎｅｌ）、ＭＣＣＨ（Ｍｕｌｔｉｃａｓｔ  Ｃｏｎｔｒｏｌ  Ｃｈａｎｎｅｌ）及びＭＴＣＨ（Ｍｕｌｔｉｃａｓｔ  Ｔｒａｆｆｉｃｃ  Ｈａｎｎｅｌ）はＤＬ−ＳＣＨにマッピングされる。ＭＣＣＨとＭＴＣＨはＭＣＨ（Ｍｕｌｔｉｃａｓｔ  Ｃｈａｎｎｅｌ）にもマッピングされる。
【００４６】
各論理チャネルタイプはどんな種類の情報が伝送されるかに伴って定義される。論理チャネルは制御チャネルとトラフィックチャネルの２種類がある。
【００４７】
制御チャネルは制御平面情報の伝送に使われる。ＢＣＣＨは、システム制御情報をブロードカスティングするためのダウンリンクチャネルである。ＰＣＣＨは、ペイジング情報を伝送するダウンリンクチャネルであり、ネットワークが端末の位置を知らない時使用する。ＣＣＣＨは、端末とネットワーク間の制御情報を伝送するチャネルであり、端末がネットワークとＲＲＣ連結のない時使用する。ＭＣＣＨは、ＭＢＭＳ（ｍｕｌｔｉｍｅｄｉａ  ｂｒｏａｄｃａｓｔ  ｍｕｌｔｉｃａｓｔ  ｓｅｒｖｉｃｅ）制御情報を伝送するのに使われる点対多（ｐｏｉｎｔ−ｔｏ−ｍｕｌｔｉｐｏｉｎｔ）ダウンリンクチャネルであり、ＭＢＭＳを受信する端末に使われる。ＤＣＣＨは、端末とネットワーク間の専用制御情報を伝送する点対点単方向チャネルであり、ＲＲＣ連結を有する端末により使われる。
【００４８】
トラフィックチャネルは使用者平面情報の伝送に使われる。ＤＴＣＨは、使用者情報の伝送のための点対点チャネルであり、アップリンクとダウンリンクの全てに存在する。ＭＴＣＨは、トラフィックデータの伝送のための点対多ダウンリンクチャネルであり、ＭＢＭＳを受信する端末に使われる。
【００４９】
伝送チャネルは、無線インターフェースを介してデータがどのようにどんな特徴で伝送されるかに伴って分類される。ＢＣＨは、セル全領域でブロードキャストされて固定された予め定義された伝送フォーマットを有する。ＤＬ−ＳＣＨは、ＨＡＲＱ（ｈｙｂｒｉｄ  ａｕｔｏｍａｔｉｃ  ｒｅｐｅａｔ  ｒｅｑｕｅｓｔ）の支援、変調、コーディング及び伝送パワーの変化による動的リンク適応の支援、ブロードキャストの可能性、ビームフォーミングの可能性、動的／半静的（ｓｅｍｉ−ｓｔａｔｉｃ）資源割当支援、端末パワー節約のためのＤＲＸ（ｄｉｓｃｏｎｔｉｎｕｏｕｓ  ｒｅｃｅｐｔｉｏｎ）支援及びＭＢＭＳ伝送支援によって特徴される。ＰＣＨは、端末パワー節約のためのＤＲＸ支援、セル全領域へのブロードキャストによって特徴される。ＭＣＨは、セル全領域へのブロードキャスト及びＭＢＳＦＮ（ＭＢＭＳ  Ｓｉｎｇｌｅ  Ｆｒｅｑｕｅｎｃｙ  Ｎｅｔｗｏｒｋ）支援によって特徴される。
【００５０】
図７は、ダウンリンク伝送チャネルとダウンリンク物理チャネル間のマッピングを示す。これは３ＧＰＰ  ＴＳ  ３６．３００  Ｖ８．３．０（２００７−１２）の５．３．１節を参照することができる。
【００５１】
図７を参照すると、ＢＣＨはＰＢＣＨ（ｐｈｙｓｉｃａｌ  ｂｒｏａｄ  ｃａｓｔ  ｃｈａｎｎｅｌ）にマッピングされ、ＭＣＨはＰＭＣＨ（ｐｈｙｓｉｃａｌ  ｍｕｌｔｉｃａｓｔ  ｃｈａｎｎｅｌ）にマッピングされ、ＰＣＨとＤＬ−ＳＣＨはＰＤＳＣＨ（ｐｈｙｓｉｃａｌ  ｄｏｗｎｌｉｎｋ  ｓｈａｒｅｄ  ｃｈａｎｎｅｌ）にマッピングされる。ＰＢＣＨはＢＣＨ伝送ブロックを運び、ＰＭＣＨはＭＣＨを運び、ＰＤＳＣＨはＤＬ−ＳＣＨとＰＣＨを運ぶ。
【００５２】
物理階層で使われるいくつかのダウンリンク物理制御チャネルがある。ＰＤＣＣＨ（ｐｈｙｓｉｃａｌｄｏｗｎｌｉｎｋｃｏｎｔｒｏｌｃｈａｎｎｅｌ）は、端末にＰＣＨとＤＬ−ＳＣＨの資源割当及びＤＬ−ＳＣＨと関連したＨＡＲＱ情報に対して知らせる。ＰＤＣＣＨは、端末にアップリンク伝送の資源割当を知らせるアップリンクスケジューリンググラントを運ぶことができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、端末にサブフレーム内でＰＤＣＣＨの伝送に使われるＯＦＤＭシンボルの数を知らせる。ＰＣＦＩＣＨはサブフレーム毎に伝送される。ＰＨＩＣＨ（ｐｈｙｓｉｃａｌ  Ｈｙｂｒｉｄ  ＡＲＱ  Ｉｎｄｉｃａｔｏｒ  Ｃｈａｎｎｅｌ）はアップリンク伝送に応答してＨＡＲＱ  ＡＣＫ／ＮＡＫ信号を運ぶ。
【００５３】
図８は、無線フレームの構造を示す。
【００５４】
図８を参照すると、無線フレーム（ｒａｄｉｏ  ｆｒａｍｅ）は１０個のサブフレーム（ｓｕｂｆｒａｍｅ）で構成され、一つのサブフレームは２個のスロット（ｓｌｏｔ）で構成される。一つのサブフレームが伝送されるのにかかる時間をＴＴＩ（ｔｒａｎｓｍｉｓｓｉｏｎ  ｔｉｍｅ  ｉｎｔｅｒｖａｌ）という。例えば、一つのサブフレームの長さは１ｍｓであってもよく、一つのスロットの長さは０．５ｍｓであってもよい。
【００５５】
無線フレームの構造は例示に過ぎず、無線フレームに含まれるサブフレームの数またはサブフレームに含まれるスロットの数、スロットに含まれるＯＦＤＭシンボルの数は多様に変更することができる。
【００５６】
図９は、一つのダウンリンクスロットに対する資源グリッド（ｒｅｓｏｕｒｃｅ  ｇｒｉｄ）を示した例示図である。
【００５７】
図９を参照すると、ダウンリンクスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。ここで、一つのダウンリンクスロットは７ＯＦＤＭシンボルを含み、一つの資源ブロック（ｒｅｓｏｕｒｃｅ  ｂｌｏｃｋ）は周波数領域で１２副搬送波を含むことを例示的に記述するが、これに制限されるのではない。
【００５８】
資源グリッド上の各要素（ｅｌｅｍｅｎｔ）を資源要素（Ｒｅｓｏｕｒｃｅ  Ｅｌｅｍｅｎｔ、ＲＥ）といい、一つの資源ブロックは１２×７資源要素を含む。ダウンリンクスロットに含まれる資源ブロックの数ＮＤＬはセルで設定されるダウンリンク伝送帯域幅（ｂａｎｄｗｉｄｔｈ）に従属する。
【００５９】
図１０は、サブフレームの構造を示す。
【００６０】
図１０を参照すると、サブフレームは２個の連続的な（ｃｏｎｓｅｃｕｔｉｖｅ）スロットを含む。サブフレーム内の一番目のスロットの前方部の最大３ＯＦＤＭシンボルがＰＤＣＣＨの割り当てられる制御領域（ｃｏｎｔｒｏｌ  ｒｅｇｉｏｎ）であり、残りＯＦＤＭシンボルはＰＤＳＣＨの割り当てられるデータ領域（ｄａｔａ  ｒｅｇｉｏｎ）となる。制御領域にはＰＤＣＣＨ以外にもＰＣＦＩＣＨ、ＰＨＩＣＨなどの制御チャネルが割り当てられることができる。端末はＰＤＣＣＨを介して伝送される制御情報をデコーディングしてＰＤＳＣＨを介して伝送されるデータ情報を読み込むことができる。ここで、制御領域が３ＯＦＤＭシンボルを含むのは例示にすぎない。サブフレーム内の制御領域の含むＯＦＤＭシンボルの数はＰＣＦＩＣＨを介して分かる。
【００６１】
制御領域は複数のＣＣＥ（ｃｏｎｔｒｏｌ  ｃｈａｎｎｅｌ  ｅｌｅｍｅｎｔｓ）である論理的なＣＣＥ列で構成される。以下、ＣＣＥ列は一つのサブフレーム内で制御領域を構成する全体ＣＣＥの集合である。ＣＣＥは複数の資源要素グループ（ｒｅｓｏｕｒｃｅ  ｅｌｅｍｅｎｔ  ｇｒｏｕｐ）に対応される。例えば、ＣＣＥは９資源要素グループに対応することができる。資源要素グループは、資源要素で制御チャネルをマッピングすることを定義するために使われる。例えば、一つの資源要素グループは４個の資源要素で構成されることができる。
【００６２】
複数のＰＤＣＣＨが制御領域内で伝送されることができる。ＰＤＣＣＨはスケジューリング割当などのような制御情報（ｃｏｎｔｒｏｌ  ｉｎｆｏｒｍａｔｉｏｎ）を運ぶ。ＰＤＣＣＨは、ひとつまたはいくつかの連続的なＣＣＥ（ｃｏｎｔｒｏｌ  ｃｈａｎｎｅｌ  ｅｌｅｍｅｎｔｓ）の集団（ａｇｇｒｅｇａｔｉｏｎ）上に伝送される。ＣＣＥ集団を構成するＣＣＥの数（Ｎｕｍｂｅｒ  ｏｆ  ＣＣＥｓ）に伴ってＰＤＣＣＨのフォーマット及び可能なＰＤＣＣＨのビット数が決定される。以下、ＰＤＣＣＨ伝送のために使われるＣＣＥの数をＣＣＥ集団レベル（ａｇｇｒｅｇａｔｉｏｎ  ｌｅｖｅｌ）という。また、ＣＣＥ集団レベルはＰＤＣＣＨを検索するためのＣＣＥ単位である。ＣＣＥ集団レベルの大きさは隣接するＣＣＥの数によって定義される。例えば、ＣＣＥ集団レベルは｛１，２，４，８｝の元素であってもよい。
【００６３】
次の表は、ＣＣＥ集団レベルにともなうＰＤＣＣＨのフォーマット、可能なＰＤＣＣＨのビット数の例を示す。
【００６４】
【表１】
0004995857.tif 000008
ＰＤＣＣＨを介して伝送される制御情報をダウンリンク制御情報（ｄｏｗｎｌｉｎｋ  ｃｏｎｔｒｏｌ  ｉｎｆｏｒｍａｔｉｏｎ、以下、ＤＣＩ）という。ＤＣＩは、アップリンクまたはダウンリンクスケジューリング情報または、アップリンクパワー制御命令（ｐｏｗｅｒ  ｃｏｎｔｒｏｌ  ｃｏｍｍａｎｄ）、ペイジングのための制御情報、ランダムアクセス応答（ＲＡＣＨ  ｒｅｓｐｏｎｓｅ）を指示するための制御情報などを伝送する。ＤＣＩフォーマットでは、ＰＵＳＣＨ（Ｐｈｙｓｉｃａｌ  Ｕｐｌｉｎｋ  Ｓｈａｒｅｄ  Ｃｈａｎｎｅｌ）スケジューリングのためのフォーマット０、一つのＰＤＳＣＨ（Ｐｈｙｓｉｃａｌ  Ｄｏｗｎｌｉｎｋ  Ｓｈａｒｅｄ  ｃｈａｎｎｅｌ）コードワードのスケジューリングのためのフォーマット１、一つのＰＤＳＣＨコードワードの簡単な（ｃｏｍｐａｃｔ）スケジューリングのためのフォーマット１Ａ、ＤＬ−ＳＣＨ（Ｄｏｗｎｌｉｎｋ  Ｓｈａｒｅｄ  Ｃｈａｎｎｅｌ）の相当簡単なスケジューリングのためのフォーマット１Ｃ、閉ループ（Ｃｌｏｓｅｄ−ｌｏｏｐ）空間多重化（ｓｐａｔｉａｌ  ｍｕｌｔｉｐｌｅｘｉｎｇ）モードでＰＤＳＣＨスケジューリングのためのフォーマット２、開ループ（Ｏｐｅｎ−ｌｏｏｐ）空間多重化モードでＰＤＳＣＨスケジューリングのためのフォーマット２Ａ、アップリンクチャネルのためのＴＰＣ（Ｔｒａｎｓｍｉｓｓｉｏｎ  Ｐｏｗｅｒ  Ｃｏｎｔｒｏｌ）命令の伝送のためのフォーマット３及び３Ａがある。
【００６５】
図１１は、ＰＤＣＣＨの構成を示したフローチャートである。
【００６６】
図１１を参照すると、段階Ｓ１１０で、基地局は端末に送ろうとするＤＣＩにエラー検出（ｅｒｒｏｒ  ｄｅｔｅｃｔｉｏｎ）のためのＣＲＣ（Ｃｙｃｌｉｃ  Ｒｅｄｕｎｄａｎｃｙ  Ｃｈｅｃｋ）を付加する。ＣＲＣにはＰＤＣＣＨの所有者（ｏｗｎｅｒ）や用途に応じて識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という）がマスキングされる。特定端末のためのＰＤＣＣＨであれば、端末の固有識別子、例えば、Ｃ−ＲＮＴＩ（Ｃｅｌｌ−ＲＮＴＩ）がＣＲＣにマスキングされることができる。または、ＰＣＨを介して伝送されるペイジングメッセージのためのＰＤＣＣＨであれば、ペイジング識別子、例えば、Ｐ−ＲＮＴＩ（Ｐａｇｉｎｇ−ＲＮＴＩ）がＣＲＣにマスキングされることができる。ＤＬ−ＳＣＨを介して伝送されるシステム情報（ｓｙｓｔｅｍ  ｉｎｆｏｒｍａｔｉｏｎ）のためのＰＤＣＣＨであれば、システム情報識別子、例えば、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプレアンブルの伝送に対する応答であるランダムアクセス応答を指示するためのＰＤＣＣＨであれば、ＲＡ−ＲＮＴＩ（Ｒａｎｄｏｍ  Ａｃｃｅｓｓ−ＲＮＴＩ）がＣＲＣにマスキングされることができる。次の表は、ＰＤＣＣＨにマスキングされる識別子の例を示す。
【００６７】
【表２−１】
0004995857.tif 000009
【００６８】
【表２−２】
0004995857.tif 000010
Ｃ−ＲＮＴＩが使われると、ＰＤＣＣＨは該当する特定端末のための制御情報を運び、他のＲＮＴＩが使われると、ＰＤＣＣＨはセル内の全ての端末が受信する共用制御情報を運ぶ。
【００６９】
段階Ｓ１２０で、ＣＲＣが付加された制御情報をチャネルコーディングを遂行して符号化されたデータ（ｃｏｄｅｄ  ｄａｔａ）を生成する。段階Ｓ１３０で、ＰＤＣＣＨフォーマットに割り当てられたＣＣＥ集団レベルにともなう伝送率マッチング（ｒａｔｅ  ｍａｔｃｈｉｎｇ）を遂行する。段階Ｓ１４０で、符号化されたデータを変調して変調シンボルを生成する。一つのＣＣＥを構成する変調シンボルの個数はＣＣＥ集団レベル（１、２、４、８のうち一つ）に応じて変わることができる。段階Ｓ１５０で、変調シンボルを物理的な資源要素にマッピング（ＣＣＥ  ｔｏ  ＲＥ  ｍａｐｐｉｎｇ）する。
【００７０】
一つのサブフレーム内で複数のＰＤＣＣＨが伝送されることができる。端末は、一つのサブフレームの制御領域を構成する物理的な資源要素をＣＣＥでデマッピング（ＣＣＥ  ｔｏ  ＲＥ  ｄｅｍａｐｐｉｎｇ）して論理的なＣＣＥ列を求める。端末は、ＣＣＥ列でＰＤＣＣＨ列をモニターリング（ｍｏｎｉｔｏｒｉｎｇ）する。ここで、モニターリングとは、端末のモニターリングされるＤＣＩフォーマットに応じてＰＤＣＣＨの各々のデコーディングを試みることをいう。基地局は、端末に該当するＰＤＣＣＨがＣＣＥ列のどこにあるかに関する情報を提供しない。端末は、ＣＣＥ列内でＰＤＣＣＨ候補（ｃａｎｄｉｄａｔｅ）の集合をモニターリングして自分のＰＤＣＣＨを探す。これをブラインドデコーディング（ｂｌｉｎｄ  ｄｅｔｅｃｔｉｏｎ）という。例えば、もし、該当するＰＤＣＣＨで自分のＣ−ＲＮＴＩをデマスキングした後、ＣＲＣチェックをしてＣＲＣエラーが検出されないと、端末は自分のＰＤＣＣＨによって検出する。
【００７１】
活性モード（ａｃｔｉｖｅ  ｍｏｄｅ）で、端末は、自分に伝送されるデータを受信するために毎サブフレームのＰＤＣＣＨ候補の集合をモニターリングする。ＤＲＸモードで、端末は、毎ＤＲＸ周期のモニターリング区間で目覚めて（ｗａｋｅ  ｕｐ）、モニターリング区間に該当するサブフレームでＰＤＣＣＨ候補の集合をモニターリングする。ＰＤＣＣＨのモニターリングが遂行されるサブフレームをｎｏｎ−ＤＲＸサブフレームという。
【００７２】
このように、端末は、自分に伝送されるＰＤＣＣＨを受信するためにはｎｏｎ−ＤＲＸサブフレームの全てのＣＣＥに対しブラインドデコーディングを遂行しなければならない。端末はどんなＰＤＣＣＨフォーマットが伝送されるか知らないため、毎ｎｏｎ−ＤＲＸサブフレーム内でＰＤＣＣＨのブラインドデコーディングが成功する時まで可能なＣＣＥ集団レベルでＰＤＣＣＨを全てデコーディングしなければならない。
【００７３】
図１２は、制御チャネルモニターリングを示した例示図である。
【００７４】
図１２を参照すると、該当するサブフレーム内のＣＣＥの総数はＮＣＣＥ個である。ＣＣＥ集団レベル（Ｌ）は｛１，２，４，８｝であって、４種類である。ＣＣＥ集団レベルが１の場合、端末は、全てのＣＣＥインデックスでブラインドデコーディングを遂行することができる。ＣＣＥ集団レベルが２、４または８の場合にも、端末は、全てのＣＣＥインデックスでブラインドデコーディングを遂行することができる。即ち、端末は、ＣＣＥ集団レベル別に全てのＣＣＥインデックスでブラインドデコーディングを遂行することができる。
【００７５】
また、端末は、Ｃ−ＲＮＴＩ、Ｐ−ＲＮＴＩ、ＳＩ−ＲＮＴＩ、ＲＡ−ＲＮＴＩの４個に対して全てブラインドデコーディングを試みるようになる。また、端末は、モニターリングしなければならない全てのＤＣＩフォーマットに対してブラインドデコーディングを試みるようになる。
【００７６】
このように、端末が可能な全てのＲＮＴＩに対し、モニターリングしなければならない全てのＤＣＩフォーマットに対して、全てのＣＣＥ集団レベル別にブラインドデコーディングを試みれば、検出試み（ｄｅｔｅｃｔｉｏｎ  ａｔｔｅｍｐｔ）回数が過度に多くなってＰＤＣＣＨモニターリングにともなう端末のバッテリ消耗が大きいことがある。従って、ブラインドデコーディングにともなう検出試み回数を減らして、端末のバッテリ消耗を減らすことができる効率的な制御チャネルモニターリング方法が必要である。
【００７７】
ブラインドデコーディングにともなう検出試み回数を減らすために、特定制御情報を運ぶＰＤＣＣＨをＣＣＥ列上で任意に割り当てることではなく、ＣＣＥ列上で特定位置、特定開始点または特定範囲に限定して割り当てることができる。この場合、端末は、上記ＰＤＣＣＨを検索するために、特定位置で、特定開始点から、または特定範囲でのみブラインドデコーディングを遂行すればよい。従って、ブラインドデコーディングにともなう検出試み回数を減らすことができる。以下、ＣＣＥ列上の特定範囲を検索空間（ｓｅａｒｃｈ  ｓｐａｃｅ）と定義する。
【００７８】
検索空間は、論理的ＣＣＥ列上でＰＤＣＣＨを検索するための空間である。モニターリングされるＰＤＣＣＨ候補の集合は検索空間に応じて定義される。検索空間は、ＣＣＥ集団レベルに応じてＣＣＥ列内で特定開始点（ｓｔａｒｔｉｎｇ  ｌｏｃａｔｉｏｎ）から隣接する（ｃｏｎｔｉｇｕｏｕｓ）ＣＣＥの集合である。検索空間は、ＣＣＥ集団レベルに応じて各々定義される。ＰＤＣＣＨ候補の位置は、ＣＣＥ集団レベル別検索空間内で独立的に発生する。即ち、各ＣＣＥ集団レベル別にＰＤＣＣＨの位置することができる特定開始点が変わることができる。
【００７９】
然しながら、ＰＤＣＣＨに載せる制御情報は、セル内の全ての端末が受信する共用制御情報とセル内の特定端末が受信する端末特定制御情報に区分されることができる。基地局は、共用制御情報と多数の端末に対する端末特定制御情報を多重化して伝送する。従って、共用制御情報に対する共用検索空間（Ｃｏｍｍｏｎ  ｓｅａｒｃｈ  ｓｐａｃｅ）及び端末特定制御情報に対する端末特定検索空間（ＵＥ−ｓｐｅｃｉｆｉｃ  ｓｅａｒｃｈ  ｓｐａｃｅ）に分けることができる。
【００８０】
共用検索空間には共用制御情報を運ぶＰＤＣＣＨが割り当てられる。端末は、共用検索空間内でのみ共用制御情報を運ぶＰＤＣＣＨ候補の集合に対してブラインドデコーディングを試みることによって検出試み回数を減らすことができる。共用制御情報にはペイジングメッセージのための制御情報、システム情報のための制御情報、システム情報変更のための制御情報、ランダムアクセス応答のための制御情報などがある。共用制御情報はＣＲＣに各共用制御情報のためのＲＮＴＩがマスキングされることができる。例えば、各共用制御情報に応じてＰ−ＲＮＴＩ、ＳＩ−ＲＮＴＩ、ＲＡ−ＲＮＴＩなどがマスキングされることができる。
【００８１】
共用検索空間は、サブフレーム毎に変わったり、サブフレーム毎に同一であることもある。共用検索空間の開始点はセル内の全ての端末に対して同一である。即ち、共用検索空間の開始点はセル内の全ての端末に対して固定される。共用検索空間の開始点は全てのセルに対して同一であることもある。または、セル間干渉（ｉｎｔｅｒ−ｃｅｌｌ  ｉｎｔｅｒｆｅｒｅｎｃｅ）のランダム化（ｒａｎｄｏｍｉｚａｔｉｏｎ）のためにセル毎に相違する共用検索空間の開始点を設定することもできる。共用検索空間の開始点は基地局と端末間に予め設定されたり、基地局がＲＲＣシグナリングやシステム情報を介して端末に知らせることもできる。
【００８２】
端末特定検索空間には端末特定制御情報を運ぶＰＤＣＣＨが割り当てられる。端末は、端末特定検索空間内でのみ端末特定制御情報を運ぶＰＤＣＣＨ候補の集合に対してブラインドデコーディングを試みることによって検出試み回数を減らすことができる。このために、端末は、端末特定検索空間の開始点を探して、上記開始点から端末特定制御情報を運ぶＰＤＣＣＨ候補の集合に対してブラインドデコーディングを試みる。端末特定検索空間の開始点は、端末毎に、サブフレーム毎に、ＣＣＥ集団レベル毎に異なってもよい。
【００８３】
端末特定制御情報には特定端末に対するダウンリンクスケジューリング割当情報、アップリンクスケジューリング割当情報などがある。端末特定検索空間に割り当てられる端末特定制御情報は、情報ペイロード（ｉｎｆｏｒｍａｔｉｏｎ  ｐａｙｌｏａｄ）長さが比較的長い端末特定制御情報に限定することができる。ＳＩＭＯ（Ｓｉｎｇｌｅ  Ｉｎｐｕｔ  Ｍｕｌｔｉｐｌｅ  Ｏｕｔｐｕｔ）／ＭＩＭＯ（Ｍｕｌｔｉｐｌｅ  Ｉｎｐｕｔ  Ｍｕｌｔｉｐｌｅ  Ｏｕｔｐｕｔ）動作に対するダウンリンクスケジューリング割当またはアップリンクスケジューリング割当のペイロード長さの変化は半静的（ｓｅｍｉ−ｓｔａｔｉｃ）である。従って、サブフレーム内の端末特定探索空間では該当サブフレームで使用する伝送モードに該当するペイロードフォーマットに合うようにブラインドデコーディングを遂行する。端末特定制御情報はＣＲＣにＣ−ＲＮＴＩがマスキングされることができる。
【００８４】
端末特定検索空間の開始点を探すために、端末は、ハッシング関数（ｈａｓｈｉｎｇ  ｆｕｎｃｔｉｏｎ）を具現することができる。ハッシング関数は端末特定検索空間の開始点を指定する関数である。ハッシング関数は、端末ＩＤ（Ｉｄｅｎｔｉｆｉｅｒ）、ＣＣＥ集団レベル、サブフレームナンバ、該当サブフレームの可用（ａｖａｉｌａｂｌｅ）ＣＣＥの数、特定定数などを入力で用いることができる。以下、該当サブフレームの可用ＣＣＥ数は論理的ＣＣＥ列を構成するＣＣＥの数を意味する。ハッシング関数は、端末特定検索空間の開始点をＣＣＥ集合上のＣＣＥインデックス番号で出力することができる。
【００８５】
このように、共用検索空間は、セル内の全ての端末によりモニターリングされる検索空間であり、端末特定検索空間は、特定端末によりモニターリングされる検索空間である。端末は共用検索空間と端末特定検索空間の両者をモニターリングする。共用検索空間と端末特定検索空間は重なっても（ｏｖｅｒｌａｐ）よい。
【００８６】
以下、ハッシング関数が出力することができる端末特定検索空間の開始点に対して説明する。
【００８７】
ＣＣＥ集団レベル毎にＣＣＥ列上の全てのＣＣＥが端末特定検索空間の開始点となることができる場合を仮定する。例えば、ｋ番目サブフレームで論理的なＣＣＥ列を構成するＣＣＥの総数をＮＣＣＥ，ｋとする時、ｋ番目サブフレームのＣＣＥ列上で可能な端末特定検索空間の個数はＮＣＣＥ，ｋと同じである。
【００８８】
このように、ＣＣＥ列上の全てのＣＣＥが端末特定検索空間の開始点となることができる場合、可能な端末特定検索空間の個数が過度に多くなる。従って、一つの端末の特定検索空間と他の端末の特定検索空間が重なる確率が高まる。これはＣＣＥ列上に端末特定検索空間を限定してブラインドデコーディングにともなう検出試み回数を減らそうとする目的に符合しない。また、基地局が複数の端末毎にＣＣＥ列上にＰＤＣＣＨをスケジューリングする時可能な端末特定検索空間を全て考慮しなければならないため、オーバーヘッド（ｏｖｅｒｈｅａｄ）となる。
【００８９】
従って、ＣＣＥ集団レベル毎にＣＣＥ列上で端末特定検索空間の開始点となることができるＣＣＥを制限する必要がある。
【００９０】
図１３は、端末特定検索空間の開始点となることができるＣＣＥを示す。
【００９１】
図１３を参照すると、ｋ番目サブフレームで論理的なＣＣＥ列を構成するＣＣＥの総数はＮＣＣＥ，ｋである。ＣＣＥは０から‘ＮＣＣＥ，ｋ−１’までインデックス番号が付けられる。端末特定検索空間の開始点（矢印参照）は次の式を満たす。
【００９２】
【数１】
0004995857.tif 000011
ここで、ｉはＣＣＥのインデックスであり、ＬはＣＣＥ集団レベルである。
【００９３】
ＣＣＥ集団レベルがＬの場合、ｋ番目サブフレームのＣＣＥ列上で可能な端末特定検索空間の個数は
【００９４】
【化４】
0004995857.tif 000012
である。可能な端末特定検索空間の個数が減少することが分かる。従って、一つの端末の特定検索空間と他の端末の特定検索空間が重なる確率を低くすることができる。また、基地局が複数の端末毎にＣＣＥ列上にＰＤＣＣＨをスケジューリングする時オーバーヘッドを減少させることができる。
【００９５】
ＣＣＥ集団レベルがＬの場合、ＣＣＥ列上で端末特定検索空間の開始点となることができるＣＣＥをＣＣＥ集団レベルＬの倍数に限定することが効率的である。ｋ番目サブフレームで端末特定検索空間の開始点Ｚｋ（Ｌ）となることができるＣＣＥインデックスの集合は次の式のように示すことができる。
【００９６】
【数２】
0004995857.tif 000013
次の表は、検索空間の一例である。次の表に示したＣＣＥ集団レベルの大きさ（Ｌ）、ＰＤＣＣＨの候補の数（Ｍ（Ｌ））は例示的目的であり、制限でない。
【００９７】
【表３】
0004995857.tif 000014
端末特定検索空間はＣＣＥ集団レベルＬ∈｛１，２，４，８｝を支援して、共用検索空間はＣＣＥ集団レベルＬ∈｛４，８｝を支援する。ＣＣＥ集団レベルの大きさとＰＤＣＣＨ候補の数に応じて検索空間の大きさが決定される。即ち、検索空間の大きさはＣＣＥ集団レベルの大きさまたはＰＤＣＣＨ候補の数の倍数となる。
【００９８】
ｋ番目サブフレームでＣＣＥの総数をＮＣＣＥ，ｋとする時、ＣＣＥ集団レベルＬ∈｛１，２，４，８｝で検索空間Ｓｋ（Ｌ）は次の式のように示すことができる。
【００９９】
【数３】
0004995857.tif 000015
ここで、Ｚｋ（Ｌ）は検索空間の開始点、ｉ＝０，１，…，Ｍ（Ｌ）・Ｌ−１、Ｍ（Ｌ）は与えられた検索空間でＰＤＣＣＨ候補の数である。開始点は検索空間内で一番目のＰＤＣＣＨ候補が位置する地点である。端末は、検索空間内で開始点から始めてＣＣＥ集団レベル単位でＰＤＣＣＨ候補をデコーディングして自分に割り当てられたＰＤＣＣＨであるか否かを判断する。モジュロ演算は、ＣＣＥ列上から循環的に検索されることを意味する。
【０１００】
端末特定検索空間の開始点は、サブフレーム毎に、ＣＣＥ集団レベル毎にまたは端末毎に異なることができる。次の式は、端末特定検索空間の開始点（Ｚｋ（Ｌ））を求めるハッシング関数の例である。
【０１０１】
【数４】
0004995857.tif 000016
ここで、Ｙ−１＝ｎＲＮＴＩ≠０、Ａ＝３９８２７及びＤ＝６５５３７であり、
【０１０２】
【化５】
0004995857.tif 000017
は床（ｆｌｏｏｒ）関数であり、ａ未満または同一である、もっとも大きい整数である。端末特定検索空間の開始点（Ｚｋ（Ｌ））となることができるＣＣＥインデックスがＣＣＥ集団レベルＬの倍数であることが分かる。
【０１０３】
共用検索空間でセル内の全ての端末に対して共用検索空間の開始点は同一である。例えば、ｋ番目サブフレームでＬ＝４及びＬ＝８である二つのＣＣＥ集団レベルに対してＺｋ（Ｌ）＝０に固定することができる。
【０１０４】
以下、ＣＣＥ列上で端末特定検索空間の開始点となることができるＣＣＥをＣＣＥ集団レベルＬの倍数に限定する場合、ＣＣＥにインデックスを付ける方法を説明する。
【０１０５】
図１４は、ＣＣＥ列上でＣＣＥにインデックスを付ける方法の例を示す。
【０１０６】
図１４を参照すると、ＣＣＥ列を構成するＣＣＥの総数はＮＣＣＥである。ＣＣＥは０から‘ＮＣＣＥ−１’まで順序にインデックス番号が付けられる。ＣＣＥ集団レベルに関係なしに基本ＣＣＥ単位（Ｂａｓｉｃ  ＣＣＥ  ｕｎｉｔ）毎にインデックス番号を付けることである。
【０１０７】
図１５は、ＣＣＥ集団レベルが２の場合、ＣＣＥにインデックスを付ける方法の例を示す。
【０１０８】
図１５を参照すると、ＣＣＥ列を構成するＣＣＥの総数はＮＣＣＥである。各ＣＣＥ集団ユニット（Ａｇｇｒｅｇａｔｅｄ  ＣＣＥ  ｕｎｉｔ）の一番目のＣＣＥ毎にインデックス番号が付けられる。従って、各ＣＣＥ集団ユニットに応じて０から‘ＮＣＣＥ／２−１’まで順序にインデックス番号が付けられる。
【０１０９】
図１６は、ＣＣＥ集団レベルがＫの場合、ＣＣＥにインデックスを付ける方法の例を示す。
【０１１０】
図１６を参照すると、ＣＣＥ列を構成するＣＣＥの総数はＮＣＣＥである。各ＣＣＥ集団ユニットの一番目のＣＣＥ毎にインデックス番号が付けられる。従って、各ＣＣＥ集団ユニットに応じて０から‘ＮＣＣＥ／Ｋ−１’まで順序にインデックス番号が付けられる。
【０１１１】
図１５及び図１６のように、ＣＣＥ集団レベルに応じて各ＣＣＥ集団ユニットの一番目のＣＣＥ毎にインデックス番号を付ける場合、ハッシング関数は、次の式のように示すことができる。
【０１１２】
【数５】
0004995857.tif 000018
ここで、Ｓｔａｒｔはハッシング関数の出力である端末特定検索空間の開始点であり、ＵＥＩＤは端末ＩＤ、ＳＦＮは無線フレーム内のサブフレーム番号であり、ＮＣＣＥはＣＣＥ列を構成するＣＣＥの総数であり、ＬはＣＣＥ集団レベルである。
【０１１３】
また、ＣＣＥ集団レベルに応じて各ＣＣＥ集団ユニットの一番目のＣＣＥ毎にインデックス番号を付ける場合、ハッシング関数のもう一つの例を次の式のように示すこともできる。
【０１１４】
【数６】
0004995857.tif 000019
ここで、Ｙ−１＝ｎＲＮＴＩ≠０、Ａ＝３９８２７及びＤ＝６５５３７であり、
【０１１５】
【化６】
0004995857.tif 000020
は床（ｆｌｏｏｒ）関数であり、ａ未満または同一である、もっとも大きい整数である。
【０１１６】
図１４のように、ＣＣＥ集団レベルに関係なしに各ＣＣＥ毎にインデックス番号を付ける場合、ハッシング関数は、次の式のように示すことができる。
【０１１７】
【数７】
0004995857.tif 000021
式６と比較した時、ＣＣＥ集団レベルであるＬが掛けられることが分かる。
【０１１８】
また、ＣＣＥ集団レベルに関係なしに各ＣＣＥ毎にインデックス番号を付ける場合、ハッシング関数のもう一つの例を次の式のように示すこともできる。
【０１１９】
【数８】
0004995857.tif 000022
ここで、Ｙ−１＝ｎＲＮＴＩ≠０、Ａ＝３９８２７及びＤ＝６５５３７であり、
【０１２０】
【化７】
0004995857.tif 000023
は床（ｆｌｏｏｒ）関数であり、ａ未満または同一である、もっとも大きい整数である。式７と比較した時、ＣＣＥ集団レベルであるＬがかけることが分かる。
【０１２１】
このような方法で端末はＰＤＣＣＨを效率的にモニターリングすることができる。また、基地局は、多数の端末に対する制御情報を運ぶ多数のＰＤＣＣＨを效率的に多重化して伝送することができる。これによって、ＰＤＣＣＨをモニターリングするためのブラインドデコーディングにともなう検出試み回数を減らすことができる。ブラインドデコーディングにともなうオーバーヘッドを減らし、端末が自分の必要とするＰＤＣＣＨを探すのにかかる時間を減少させる。端末のバッテリ消耗を減らし、全体システムの性能向上を期待することができる。
【０１２２】
上述した全ての機能は、上記機能を遂行するようにコーディングされたソフトウェアやプログラムコードなどにともなうマイクロプロセッサ、制御機、マイクロ制御機、ＡＳＩＣ（Ａｐｐｌｉｃａｔｉｏｎ  Ｓｐｅｃｉｆｉｃ  Ｉｎｔｅｇｒａｔｅｄ  ｃｉｒｃｕｉｔ）などのようなプロセッサにより遂行されることができる。上記コードの設計、開発及び具現は本発明の説明に基づいて当業者に自明であるといえる。
【０１２３】
以上、本発明に対して実施例を参照して説明したが、該当技術分野の通商の知識を有した者は、本発明の技術的思想及び領域から外れない範囲内で本発明を多様に修正及び変更させて実施可能であることを理解することができる。従って、上述した実施例に限定されることではなく、本発明は特許請求範囲の範囲内の全ての実施例を含むといえる。
【符号の説明】
【０１２４】
１０、５０  端末
２０  基地局
３０  ＭＭＥ／Ｓ−ＧＷ
５１  プロセッサ
５２  メモリ
５３  ＲＦ部
５４  ディスプレー部
５５  使用者インターフェース部
【図１】
0004995857.tif 000024
【図２】
0004995857.tif 000025
【図３】
0004995857.tif 000026
【図４】
0004995857.tif 000027
【図５】
0004995857.tif 000028
【図６】
0004995857.tif 000029
【図７】
0004995857.tif 000030
【図８】
0004995857.tif 000031
【図９】
0004995857.tif 000032
【図１０】
0004995857.tif 000033
【図１１】
0004995857.tif 000034
【図１２】
0004995857.tif 000035
【図１３】
0004995857.tif 000036
【図１４】
0004995857.tif 000037
【図１５】
0004995857.tif 000038
【図１６】
0004995857.tif 000039